(57)【要約】  メンテナンス性に優れた投射型表示装置を提供する。  本技術に係る投射型表示装置は、投射光学系と、筐体と、ファンと、エアフィルタ（１０３）と、フィルタカバー（１０４）とを具備する。筐体は吸気口（１０１ｈ）を備え、投射光学系を収容する。ファンは、筐体に収容され、吸気口（１０１ｈ）から空気を吸引する。エアフィルタ（１０３）は、筐体に対して着脱可能であり、吸気口（１０１ｈ）を覆う。フィルタカバー（１０４）は、エアフィルタ（１０３）に対して着脱可能である。
2017090234.tif 000002
【特許請求の範囲】
【請求項１】
投射光学系と、  吸気口を備え、前記投射光学系を収容する筐体と、  前記筐体に収容され、前記吸気口から空気を吸引するファンと、  前記筐体に対して着脱可能であり、前記吸気口を覆うエアフィルタと、  前記エアフィルタに対して着脱可能なフィルタカバーと  を具備する投射型表示装置。
【請求項２】
請求項１に記載の投射型表示装置であって、  前記エアフィルタは、前記フィルタカバーと共に、前記筐体に対してスライドして着脱される  投射型表示装置。
【請求項３】
請求項２に記載の投射型表示装置であって、  前記フィルタカバーは、前記エアフィルタと対向する天板部と、前記天板部と前記エアフィルタの間での空気の流入を防止する側壁部と、前記天板部と前記エアフィルタの間での空気の流入を可能とする開口部とを備える  投射型表示装置。
【請求項４】
請求項３に記載の投射型表示装置であって、  前記開口部は、前記筐体において前記吸気口が設けられている面の周縁に沿って設けられ、前記側壁部は、前記エアフィルタを前記面のうち前記天板部と対向しない領域から隔てるように設けられている  投射型表示装置。
【請求項５】
請求項４に記載の投射型表示装置であって、  前記天板部は、一部が前記面の周縁から突出して設けられ、  前記開口部は、前記面の周縁と前記面の周縁から突出した前記天板部の間に設けられている  投射型表示装置。
【請求項６】
請求項３に記載の投射型表示装置であって、  前記フィルタカバーは、スライドに伴う塵埃の前記吸気口への落下を防止する塵埃落下防止部を備える  投射型表示装置。
【請求項７】
請求項２に記載の投射型表示装置であって、  前記吸気口は、前記投射型表示装置が天井に取り付けられた状態で前記筐体の鉛直上方側となる面に設けられている  投射型表示装置。
【請求項８】
請求項２に記載の投射型表示装置であって、  前記吸気口は、前記投射型表示装置が壁面に取り付けられた状態で前記筐体の鉛直上方側となる面に設けられている  投射型表示装置。
【発明の詳細な説明】
【技術分野】
【０００１】  本技術は、液晶プロジェクタやＣＲＴプロジェクタ等の投射型表示装置に関する。
【背景技術】
【０００２】  液晶プロジェクタやＣＲＴ（Cathode Ray Tube）プロジェクタ等の投射型表示装置は、光源や光学部品等を備えており、光源の発熱によるこれらの部品の温度上昇を冷却する必要がある。一般的には投射型表示装置の筐体に吸気口が設けられ、吸気ファンによって吸引された空気が吸気口を介して筐体内部に流入し、各部品を冷却する。【０００３】  吸気口には、フィルタが設けられており、筐体内部への塵埃の流入が防止されている。例えば、特許文献１には、フィルタが設けられた投射型表示装置が開示されている。フィルタは筐体に装着され、フィルタ交換用蓋体によって覆われている。蓋体には吸気口が設けられており、空気は吸気口及びフィルタを介して筐体内部に流入する。
【先行技術文献】
【特許文献】
【０００４】
【特許文献１】特開２００８−２６２０６１号公報
【発明の概要】
【発明が解決しようとする課題】
【０００５】  フィルタは、塵埃の堆積によって次第に通気量が減少するため、定期的に筐体から取り外し、交換又はクリーニングを行う必要がある。しかしながら、特許文献１のような構造では、ネジ止め等によって筐体に固定されている蓋体を取り外す必要があり、フィルタの着脱が容易ではない。【０００６】  特に、投射型表示装置は、天井に吊り下げられて用いられる場合もあり、このような場合にはフィルタの着脱が一層困難になる。また、フィルタを筐体から取り外す際には、フィルタを傾けることにより塵埃が舞い上がり、吸気口へ流入するおそれもある。【０００７】  以上のような事情に鑑み、本技術の目的は、メンテナンス性に優れた投射型表示装置を提供することにある。
【課題を解決するための手段】
【０００８】  上記目的を達成するため、本技術の一形態に係る投射型表示装置は、投射光学系と、筐体と、ファンと、エアフィルタと、フィルタカバーとを具備する。  上記筐体は吸気口を備え、上記投射光学系を収容する。  上記ファンは、上記筐体に収容され、上記吸気口から空気を吸引する。  上記エアフィルタは、上記筐体に対して着脱可能であり、上記吸気口を覆う。  上記フィルタカバーは、上記エアフィルタに対して着脱可能である。【０００９】  この構成によれば、フィルタカバーとエアフィルタを一体化して筐体に対して着脱することが可能となり、フィルタカバーとエアフィルタがそれぞれ筐体に装着される構造に比べてエアフィルタのメンテナンス性が向上する。【００１０】  上記エアフィルタは、上記フィルタカバーと共に、上記筐体に対してスライドして着脱されてもよい。【００１１】  この構成によれば、筐体が天井に吊下され、吸気口が筐体の鉛直上方側の面に配置されている場合等にフィルタカバーとエアフィルタを筐体に対して容易に着脱することが可能となる。【００１２】  上記フィルタカバーは、上記エアフィルタと対向する天板部と、上記天板部と上記エアフィルタの間での空気の流入を防止する側壁部と、上記天板部と上記エアフィルタの間での空気の流入を可能とする開口部とを備えてもよい。【００１３】  この構成によれば、吸気口が筐体の鉛直上方側の面に配置され、当該面に塵埃が堆積しても、エアフィルタは天板部によって覆われており、エアフィルタへの塵埃の流入を防止することが可能である。【００１４】  上記開口部は、上記筐体において上記吸気口が設けられている面の周縁に沿って設けられ、上記側壁部は、上記エアフィルタを上記面のうち上記天板部と対向しない領域から隔てるように設けられていてもよい。【００１５】  この構成によれば、筐体の吸気口が設けられている面に塵埃が堆積しても、当該面の周縁に設けられ、即ち当該面が存在しない方向に設けられた開口部から吸気が行われ、当該面に堆積した塵埃のエアフィルタへの流入を側壁部によって防止することが可能である。【００１６】  上記天板部は、一部が上記面の周縁から突出して設けられ、  上記開口部は、上記面の周縁と上記面の周縁から突出した上記天板部の間に設けられていてもよい。【００１７】  この構成によれば、吸気口が設けられている筐体の面のうち天板部と対向しない領域と開口部が離間するため、当該面に堆積した塵埃が開口部により流入しにくくなる。【００１８】  上記フィルタカバーは、スライドに伴う塵埃の上記吸気口への落下を防止する塵埃落下防止部を備える。【００１９】  上記のように、フィルタカバーはエアフィルタと共にスライドし、筐体に対して着脱されるため、スライド時にフィルタカバーに堆積した塵埃が落下すると、吸気口に流入するおそれがあるが、塵埃落下防止部を設けることによって、このような吸気口への塵埃を防止することが可能となる。【００２０】  上記投射型表示装置は、天井に取り付けることが可能であり、  上記吸気口は、上記投射型表示装置が天井に取り付けられた状態で上記筐体の鉛直上方側となる面に設けられていてもよい。【００２１】  上記吸気口は、上記投射型表示装置が天井に取り付けられた状��で上記筐体の鉛直上方側となる面に設けられていてもよい。【００２２】  この構成によれば、投射型表示装置が天井に取り付けられた際に、筐体の鉛直上方に位置するエアフィルタへの塵埃の堆積を防止することが可能である。【００２３】  上記吸気口は、上記投射型表示装置が壁面に取り付けられた状態で上記筐体の鉛直上方側となる面に設けられていてもよい。【００２４】  この構成によれば、投射型表示装置が壁面に取り付けられた際に、筐体の鉛直上方に位置するエアフィルタへの塵埃の堆積を防止することが可能である。
【発明の効果】
【００２５】  以上のように、本技術によれば、メンテナンス性に優れた投射型表示装置を提供することが可能である。なお、ここに記載された効果は必ずしも限定されるものではなく、本開示中に記載されたいずれかの効果であってもよい。
【図面の簡単な説明】
【００２６】
【図１】本技術の実施形態に係る投射型表示装置の斜視図である。
【図２】同投射型表示装置の斜視図である。
【図３】同投射型表示装置の斜視図である。
【図４】フィルタカバーを取り外した状態の同投射型表示装置の斜視図である。
【図５】フィルタカバー及びエアフィルタを取り外した状態の同投射型表示装置の斜視図である。
【図６】同投射型表示装置が備えるエアフィルタの斜視図である。
【図７】同投射型表示装置の筐体に設けられた吸気口の斜視図である。
【図８】同投射型表示装置が備えるフィルタカバーの斜視図である。
【図９】同投射型表示装置が備えるフィルタカバーの斜視図である。
【図１０】同投射型表示装置が備えるフィルタカバー及びエアフィルタの斜視図である。
【図１１】同投射型表示装置が備えるフィルタカバー及びエアフィルタの斜視図である。
【図１２】同投射型表示装置が備えるエアフィルタの平面図である。
【図１３】同投射型表示装置が備えるエアフィルタへの吸気方向を示す模式図である。
【図１４】同投射型表示装置が備えるエアフィルタの筐体への着脱方法を示す模式図である。
【図１５】同投射型表示装置が備えるフィルタカバー及びエアフィルタの筐体への着脱方法を示す模式図である。
【図１６】同投射型表示装置が備えるフィルタカバーの断面図である。
【図１７】同投射型表示装置が備えるフィルタカバーの平面図である。
【図１８】同投射型表示装置が備えるフィルタカバーの断面図である。
【図１９】同投射型表示装置が備えるフィルタカバーの断面図である。
【図２０】同投射型表示装置が備えるフィルタカバーの断面図である。
【図２１】同投射型表示装置が備えるフィルタカバーの断面図である。
【図２２】同投射型表示装置が備えるフィルタカバーの断面図である。
【図２３】本技術の変形例に係る投射型表示装置が備えるフィルタカバーの平面図である。
【図２４】本技術の変形例に係る投射型表示装置の斜視図である。
【図２５】同投射型表示装置が備えるフィルタカバー及びエアフィルタの斜視図である。
【発明を実施するための形態】
【００２７】  本実施形態に係る投射型表示装置について説明する。
【００２８】  ［投射型表示装置の全体構成］  図１乃至図３は、本実施形態に係る投射型表示装置１００を各方向からみた斜視図である。図中のＸ方向、Ｙ方向及びＺ方向は相互に直交する三方向である。
【００２９】  図１乃至図３に示すように、投射型表示装置１００は、筐体１０１、投射レンズ１０２、エアフィルタ１０３、フィルタカバー１０４、排気口１０５、操作スイッチ１０６、光学系調整レバー１０７、映像入力端子１０８、電源端子１０９、脚部１１０及び脚部１１１を備える。
【００３０】  筐体１０１は、図１乃至図３に示すように、略直方体形状を有し、上面１０１ａ、底面１０１ｂ、前面１０１ｃ、背面１０１ｄ、右側面１０１ｅ及び左側面１０１ｆを有する。上面１０１ａと底面１０１ｂは互いに平行な面であり、前面１０１ｃ、背面１０１ｄ、右側面１０１ｅ及び左側面１０１ｆは上面１０１ａ及び底面１０１ｂに直交する面である。また、前面１０１ｃと背面１０１ｄは互いに平行な面であり、右側面１０１ｅ及び左側面１０１ｆは互いに平行な面である。
【００３１】  筐体１０１には、光源、光学系、駆動回路及び投射レンズ１０２等から構成された投射光学系が収容されている。投射光学系の構成は特に限定されず、ＰＣ等の外部機器から映像入力端子１０８を介して入力された映像信号から映像を生成し、投射レンズ１０２からスクリーン等に投射可能なものであればよい。
【００３２】  エアフィルタ１０３及びフィルタカバー１０４は筐体１０１から着脱可能に構成されている。図４は、フィルタカバー１０４を取り外した投射型表示装置１００の斜視図であり、図５は、エアフィルタ１０３及びフィルタカバー１０４を取り外した投射型表示装置１００の斜視図である。
【００３３】  図５に示すように、底面１０１ｂには、フィルタ装着部１０１ｇ及び吸気口１０１ｈが設けられている。フィルタ装着部１０１ｇは底面１０１ｂに対して凹状に形成されており、図４に示すように、エアフィルタ１０３が筐体１０１に装着されると、エアフィルタ１０３が底面１０１ｂと平坦となる程度の深さに形成されている。
【００３４】  吸気口１０１ｈは、フィルタ装着部１０１ｇに形成され、筐体１０１の内外に連通する開口であり、その数や形状は特に限定されない。筐体１０１の内部には図示しない吸気ファンが設けられており、その吸気経路は吸気口１０１ｈに連通する。フィルタ装着部１０１ｇ及び吸気口１０１ｈの筐体１０１における位置は、図５に示すように投射レンズ１０２の近傍とすることができるが、これに限られず、投射光学系の冷却に効果的な位置であればよい。
【００３５】  投射レンズ１０２は、前面１０１ｃに設けられている。投射レンズ１０２は上記のように投射光学系を構成しており、映像をスクリーン等に投射する。
【００３６】  エアフィルタ１０３は、吸気口１０１ｈに吸引されている空気から塵埃を除去するフィルタであり、フィルタカバー１０４は、エアフィルタ１０３に対する塵埃の流入を防止するカバーである。エアフィルタ１０３及びフィルタカバー１０４については後述する。
【００３７】  排気口１０５は、右側面１０１ｅ及び左側面１０１ｆに設けられ、筐体１０１の内外に連通する開口であり、吸気口１０１ｈから筐体１０１内に流入した空気が排出される。排気口１０５の配置や形状は特に限定されない。
【００３８】  操作スイッチ１０６は上面１０１ａに設けられ、投射型表示装置１００の操作のためのスイッチであり、電源スイッチや映像入力機器の切替用スイッチ等である。光学系調整レバー１０７は上面１０１ａに設けられ、投射レンズ１０２のピント調節等に利用されるレバーである。
【００３９】  電源端子１０９は背面１０１ｄに設けられ、電源コードが接続される端子である。映像入力端子１０８は背面１０１ｄに設けられ、ＰＣ等の映像出力機器が接続される端子である。
【００４０】  脚部１１０は、底面１０１ｂの背面１０１ｄ側に設けられ、脚部１１１は底面１０１ｂの前面１０１ｃ側に設けられている。脚部１１０及び脚部１１１は、投射型表示装置１００の載置面に対して筐体１０１を支持する。脚部１１１は、底面１０１ｂからの高さを調整可能に構成されているものとすることができる。
【００４１】  ［エアフィルタ及びフィルタカバーについて］  図６は、エアフィルタ１０３の斜視図である。同図に示すようにエアフィルタ１０３は、板状であり、開口１０３ａ、カバー接続孔１０３ｂ、把手１０３ｃ、筐体係合部１０３ｄを有する。
【００４２】  開口１０３ａはエアフィルタ１０３の表面と裏面に連通する開口である。開口１０３ａの内部又はエアフィルタ１０３の表面と裏面の少なくとも一方には細孔を備えるフィルタ材料が配置され、開口１０３ａを通過する空気に含まれる塵埃を収拾する。図４に示すようにエアフィルタ１０３が筐体１０１に装着されると、開口１０３ａは筐体１０１に設けられた吸気口１０１ｈの直上に位置するように設けられている。
【００４３】  カバー接続孔１０３ｂは、フィルタカバー１０４のエアフィルタ１０３への装着に利用される孔である。把手１０３ｃは、エアフィルタ１０３を筐体１０１に対してスライドさせる際にユーザが利用する把手である。
【００４４】  筐体係合部１０３ｄは、エアフィルタ１０３の側面に設けられた突起であり、エアフィルタ１０３の筐体１０１へのスライドを可能とする。図７は、筐体１０１のフィルタ装着部１０１ｇの近傍の斜視図である。同図に示すように、フィルタ装着部１０１ｇには、ガイド溝１０１ｉが設けられており、筐体係合部１０３ｄはガイド溝１０１ｉに挿入され、エアフィルタ１０３の筐体に対するスライドをガイドする。
【００４５】  エアフィルタ１０３の筐体１０１に対するスライドの方向は、底面１０１ｂに平行な方向とすることができる。なお、エアフィルタ１０３の筐体に対するスライドを可能とする構成は上記のものに限れられない。例えば、エアフィルタ１０３にガイド溝が設けられ、筐体１０１に係合部が設けられてもよい。また、エアフィルタ１０３を底面１０１ｂに垂直な方向からフィルタ装着部１０１ｇに当接させた後、わずかにスライドさせて筐体１０１に装着する構成であってもよい。
【００４６】  図８及び図９は、フィルタカバー１０４を各方向からみた斜視図であり、図１０及び図１１は筐体１０１に装着されたフィルタカバー１０４を各方向からみた斜視図である。これらの図に示すように、フィルタカバー１０４は、天板部１０４ａ、開口部１０４ｂ、側壁部１０４ｃ、フィルタ係合部１０４ｄ及び支持部１０４ｅを備える。
【００４７】  天板部１０４ａはフィルタカバー１０４が筐体１０１に装着されるとエアフィルタ１０３と離間し、エアフィルタ１０３と対向する板状の部分である。天板部１０４ａの底面１０１ｂからの高さは特に限定されないが、投射型表示装置１００が載置面に載置され、脚部１１０及び脚部１１１が載置面に当接した場合に、天板部１０４ａが載置面に接触しない高さが好適である。
【００４８】  開口部１０４ｂは、図１０に示すように天板部１０４ａと筐体１０１の間の間隙であり、天板部１０４ａとエアフィルタ１０３の間での空気の流入を可能とする。側壁部１０４ｃは、フィルタカバー１０４が筐体１０１に装着されると底面１０１ｂに垂直となる板状の部分である。
【００４９】  フィルタ係合部１０４ｄは、側壁部１０４ｃの端部に設けられ、エアフィルタ１０３のカバー接続孔１０３ｂに挿入されることにより、フィルタカバー１０４がエアフィルタ１０３に対して固定される。これにより、図１１に示すように、側壁部１０４ｃによって天板部１０４ａとエアフィルタ１０３の間が閉塞され、天板部１０４ａとエアフィルタ１０３の間の空気の流入が防止される。
【００５０】  図１２は、フィルタカバー１０４を底面１０１ｂに垂直な方向からみた平面図である。同図に示すように、開口部１０４ｂは底面１０１ｂの周縁に沿って設けられている。本実施形態に係るフィルタカバー１０４は底面１０１ｂに垂直な方向からみて、略矩形状の天板部１０４ａのうち２辺が底面１０１ｂの周縁と一致しているため、当該２辺と筐体１０１の間に開口部１０４ｂが形成されている。
【００５１】  フィルタカバー１０４が、底面１０１ｂに垂直な方向からみて天板部１０４ａのうち１辺が底面１０１ｂの周縁と一致している場合には、当該辺と筐体１０１の間に開口部１０４ｂが形成されるものとすることができる。同様に、フィルタカバー１０４が、底面１０１ｂに垂直な方向からみて天板部１０４ａのうち３辺が底面１０１ｂの周縁と一致している場合には、当該３辺と筐体１０１の間に開口部１０４ｂが形成されるものとすることができる。
【００５２】  側壁部１０４ｃは、エアフィルタ１０３を底面１０１ｂのうち天板部１０４ａと対向しない領域から隔てるように設けられている。底面１０１ｂのうち天板部１０４ａと対向しない領域は、底面１０１ｂに垂直な方向からみてフィルタカバー１０４の周囲の領域である。
【００５３】  支持部１０４ｅは、天板部１０４ａの周縁において側壁部１０４ｃから離間した位置に設けられ、天板部１０４ａから筐体１０１の方向に突出する。支持部１０４ｅは、フィルタカバー１０４が筐体１０１に装着されると筐体１０１に当接し、天板部１０４ａを支持する。なお、天板部１０４ａの大きさや材質によって天板部１０４ａの強度が保たれる場合には支持部１０４ｅは設けられなくてもよい。
【００５４】  図１３は、フィルタカバー１０４における空気の流入方向を示す模式図である。エアフィルタ１０３及びフィルタカバー１０４を筐体１０１に装着した状態で、投射型表示装置１００の電源が投入されると、筐体１０１に収容された吸気ファンが駆動され、空気が吸気口１０１ｈに吸引される。
【００５５】  ここで、フィルタカバー１０４には開口部１０４ｂが設けられているため、図中矢印で示すように空気は開口部１０４ｂを介してフィルタカバー１０４内に流れ、エアフィルタ１０３を介して吸気口１０１ｈに流入する。エアフィルタ１０３と底面１０１ｂのうち天板部１０４ａに対向しない領域の間には側壁部１０４ｃが設けられているため、同領域からの空気の流入は防止されている。
【００５６】  投射型表示装置１００は、底面１０１ｂを鉛直下方として載置した状態で使用することが可能であるが、底面１０１ｂを鉛直上方として天井に吊下げた状態で使用することも可能である。ここで、底面１０１ｂを鉛直上方とした場合、底面１０１ｂに塵埃が堆積する。
【００５７】  フィルタカバー１０４においては、フィルタカバー１０４の外側の底面１０１ｂとの間に側壁部１０４ｃが設けられており、開口部１０４ｂは底面１０１ｂの周縁に沿って設けられているため、底面１０１ｂに堆積した塵埃がフィルタカバー１０４内に流入することが防止されている。これにより、底面１０１ｂが鉛直上方となるように投射型表示装置１００を配置しても、エアフィルタ１０３のメンテナンス頻度は影響を受けない。
【００５８】  ［エアフィルタ及びフィルタカバーの着脱について］  図１４は、エアフィルタ１０３の着脱方法を示す模式図である。同図に示すように、エアフィルタ１０３は、筐体係合部１０３ｄをガイド溝１０１ｉに挿入し、筐体１０１に対してスライドさせることによって筐体１０１に装着することができる。
【００５９】  スライドの方向は底面１０１ｂに平行な方向とすることができる。なお、本実施形態では右側面１０１ｅ側から筐体１０１に対してスライドさせる構成となっているが、前面１０１ｃ側から筐体１０１に対してスライドさせる構成であってもよい。
【００６０】  フィルタカバー１０４は、フィルタ係合部１０４ｄをカバー接続孔１０３ｂに挿入することにより、エアフィルタ１０３に対して装着することができる。図１５は、フィルタカバー１０４の着脱方法を示す模式図である。図１５に示すようにフィルタカバー１０４をエアフィルタ１０３に装着した状態で、フィルタカバー１０４をエアフィルタ１０３と共にスライドさせ、筐体１０１に対して着脱することが可能である。
【００６１】  これにより、投射型表示装置１００が天井に吊下され、底面１０１ｂが鉛直上方に向いている場合でも、エアフィルタ１０３とフィルタカバー１０４を共にスライドさせることによって着脱可能である。一方で一般的な投射型表示装置の構造では、フィルタカバーを取り外した後、エアフィルタを取り外す必要があるが、投射型表示装置が天井に吊下されているとフィルタカバーやエアフィルタの視認が困難な上、天井と投射型表示装置の間隔が狭く、着脱が困難となる場合が多い。
【００６２】  これに対し、本実施形態の構成では、天井と投射型表示装置の間でエアフィルタ１０３とフィルタカバー１０４を共にスライドさせるだけで、両者を筐体１０１に対して着脱させることができ、メンテナンス性に優れる。また、上記のようにフィルタカバー１０４では天板部１０４ａによってエアフィルタ１０３が被覆され、かつ開口部１０４ｂ及び側壁部１０４ｃの配置によって、塵埃のエアフィルタ１０３への流入が防止されている。このため、底面１０１ｂを鉛直上方とした場合であってもメンテナンス頻度は影響を受けない。
【００６３】  なお、フィルタカバー１０４は、エアフィルタ１０３のみを筐体１０１に装着した後にエアフィルタ１０３に装着することも可能である。
【００６４】  ［塵埃落下防止部について］  上記のように、フィルタカバー１０４とエアフィルタ１０３は、筐体１０１に対してスライドさせることによって着脱することが可能である。ここで、底面１０１ｂが鉛直上方に位置する場合には、底面１０１ｂや天板部１０４ａに塵埃が堆積するため、フィルタカバー１０４に塵埃落下防止部を設けてもよい。
【００６５】  図１６は、フィルタカバー１０４の一部の断面図であり、図１７はフィルタカバー１０４の平面図である。これらの図に示すように、フィルタカバー１０４は塵埃落下防止部１０４ｆを備えるものとすることができる。
【００６６】  塵埃落下防止部１０４ｆは、天板部１０４ａの表面（エアフィルタ１０３に対向する面の反対側の面）に設けられた溝状の構造であり、図１７に示すようにフィルタカバー１０４のスライド方向（図中矢印）に対して直交する方向に沿って設けられている。天板部１０４ａにおける塵埃落下防止部１０４ｆの位置は、フィルタカバー１０４をスライドさせて筐体１０１から取り外す際に後端となる天板部１０４ａの周縁近傍が好適である。
【００６７】  塵埃落下防止部１０４ｆが設けられていない場合、フィルタカバー１０４を筐体１０１に対してスライドさせると、天板部１０４ａに堆積している塵埃が舞い上がり、天板部１０４ａの周縁を越えて天板部１０４ａから落下するおそれがある。落下した先には吸気口１０１ｈ（図１５参照）が設けられているため、塵埃が吸気口１０１ｈ内に流入するおそれがある。塵埃落下防止部１０４ｆは、天板部１０４ａから舞い上がった塵埃を収容し、天板部１０４ａの周縁からの塵埃の落下を防止することが可能である。
【００６８】  塵埃落下防止部１０４ｆは、上述したような溝に限られず、スライドに伴う塵埃の落下を防止することが可能な構成であればよい。図１８乃至図２０は、各種構造の塵埃落下防止部１０４ｆを示す断面図である。図１８に示すように塵埃落下防止部１０４ｆは、天板部１０４ａの周縁に設けられ、スライド方向に垂直な方向に沿って形成された凸部であってもよい。
【００６９】  また、図１９に示すように、天板部１０４ａに波状の凹凸を形成し、塵埃落下防止部１０４ｆとしてもよく、図２０に示すように天板部１０４ａを側壁部１０４ｃから突出させて塵埃落下防止部１０４ｆとしてもよい。
【００７０】  さらに、塵埃落下防止部１０４ｆは側壁部１０４ｃ上に形成されてもよい。図２１及び図２２は、側壁部１０４ｃに形成された塵埃落下防止部１０４ｆを示す断面図である。これらの図に示すように、側壁部１０４ｃにスライド方向に垂直な方向に沿って突出部を設け、塵埃落下防止部１０４ｆとすることができる。この突出部には溝や凸部等を形成してもよい。
【００７１】  ［変形例］  図２３は、変形例に係る投射型表示装置１００のフィルタカバー１０４を底面１０１ｂに垂直な方向からみた平面図である。同図に示すように、天板部１０４ａは、一部が底面１０１ｂの周縁から突出するように設けられ、開口部１０４ｂは底面１０１ｂの周縁と同周縁から突出した天板部１０４ａの間に設けられていてもよい。これにより、開口部１０４ｂがフィルタカバー１０４の外側の底面１０１ｂから離間するため、底面１０１ｂに堆積した塵埃が開口部１０４ｂにより流入しにくくなる。
【００７２】  図２４は別の変形例に係る投射型表示装置１００の斜視図であり、図２５はこの変形例に係る投射型表示装置１００が備えるエアフィルタ１０３及びフィルタカバー１０４の斜視図である。これらの図に示すように、エアフィルタ１０３及びフィルタカバー１０４は、右側面１０１ｅに装着されてもよい。吸気口１０１ｈは、右側面１０１ｅに設けられ、エアフィルタ１０３によって被覆されている。
【００７３】  エアフィルタ１０３及びフィルタカバー１０４は、右側面１０１ｅに平行な方向にスライドし、筐体１０１に対して着脱される。開口部１０４ｂは右側面１０１ｅの周縁に沿って設けられ、側壁部１０４ｃはエアフィルタ１０３を、右側面１０１ｅのうち天板部１０４ａと対向しない領域から隔てるように設けられている。
【００７４】  投射型表示装置１００は、底面１０１ｂを壁面に取り付けることも可能であり、右側面１０１ｅが鉛直上方となる場合もある。エアフィルタ１０３及びフィルタカバー１０４を右側面１０１ｅに配置することにより、右側面１０１ｅが鉛直上方となる場合でもエアフィルタ１０３への塵埃の流入を防止し、かつエアフィルタ１０３及びフィルタカバー１０４の着脱を容易とすることができる。同様に、右側面１０１ｅ又は上面１０１ａに吸気口１０１ｈ、エアフィルタ１０３及びフィルタカバー１０４が設けられてもよい。
【００７５】  なお、本技術は以下のような構成もとることができる。
【００７６】  （１）  投射光学系と、  吸気口を備え、上記投射光学系を収容する筐体と、  上記筐体に収容され、上記吸気口から空気を吸引するファンと、  上記筐体に対して着脱可能であり、上記吸気口を覆うエアフィルタと、  上記エアフィルタに対して着脱可能なフィルタカバーと  を具備する投射型表示装置。
【００７７】  （２）  上記（１）に記載の投射型表示装置であって、  上記エアフィルタは、上記フィルタカバーと共に、上記筐体に対してスライドして着脱される  投射型表示装置。
【００７８】  （３）  上記（１）又は（２）に記載の投射型表示装置であって、  上記フィルタカバーは、上記エアフィルタと対向する天板部と、上記天板部と上記エアフィルタの間での空気の流入を防止する側壁部と、上記天板部と上記エアフィルタの間での空気の流入を可能とする開口部とを備える  投射型表示装置。
【００７９】  （４）  上記（３）に記載の投射型表示装置であって、  上記開口部は、上記筐体において上記吸気口が設けられている面の周縁に沿って設けられ、上記側壁部は、上記エアフィルタを上記面のうち上記天板部と対向しない領域から隔てるように設けられている  投射型表示装置。
【００８０】  （５）  上記（３）又は（４）に記載の投射型表示装置であって、  上記天板部は、一部が上記面の周縁から突出して設けられ、  上記開口部は、上記面の周縁と上記面の周縁から突出した上記天板部の間に設けられている  投射型表示装置。
【００８１】  （６）  上記（１）から（５）のうちいずれか一つに記載の投射型表示装置であって、  上記フィルタカバーは、スライドに伴う塵埃の上記吸気口への落下を防止する塵埃落下防止部を備える  投射型表示装置。
【００８２】  （７）  上記（１）から（６）のうちいずれか一つに記載の投射型表示装置であって、  上記吸気口は、上記投射型表示装置が天井に取り付けられた状態で上記筐体の鉛直上方側となる面に設けられている  投射型表示装置。
【００８３】  上記（１）から（６）のうちいずれか一つに記載の投射型表示装置であって、  上記吸気口は、上記投射型表示装置が壁面に取り付けられた状態で上記筐体の鉛直上方側となる面に設けられている  投射型表示装置。
【符号の説明】
【００８４】  １００…投射型表示装置  １０１…筐体  １０１ｂ…底面  １０１ｈ…吸気口  １０２…投射レンズ  １０３…エアフィルタ  １０４…フィルタカバー  １０４ａ…天板部  １０４ｂ…開口部  １０４ｃ…側壁部  １０４ｆ…塵埃落下防止部
【図１】
2017090234.tif 000003
【図２】
2017090234.tif 000004
【図３】
2017090234.tif 000005
【図４】
2017090234.tif 000006
【図５】
2017090234.tif 000007
【図６】
2017090234.tif 000008
【図７】
2017090234.tif 000009
【図８】
2017090234.tif 000010
【図９】
2017090234.tif 000011
【図１０】
2017090234.tif 000012
【図１１】
2017090234.tif 000013
【図１２】
2017090234.tif 000014
【図１３】
2017090234.tif 000015
【図１４】
2017090234.tif 000016
【図１５】
2017090234.tif 000017
【図１６】
2017090234.tif 000018
【図１７】
2017090234.tif 000019
【図１８】
2017090234.tif 000020
【図１９】
2017090234.tif 000021
【図２０】
2017090234.tif 000022
【図２１】
2017090234.tif 000023
【図２２】
2017090234.tif 000024
【図２３】
2017090234.tif 000025
【図２４】
2017090234.tif 000026
【図２５】
2017090234.tif 000027
【国際調査報告】
2017090234.tif 000028
2017090234.tif 000029
2017090234.tif 000030
2017090234.tif 000031